【手続補正書】
【提出日】平成18年9月5日(2006.9.5)
【手続補正１】
【補正対象書類名】明細書
【補正対象項目名】特許請求の範囲
【補正方法】変更
【補正の内容】
【特許請求の範囲】
【請求項１】  フィルム構造体であって、
フルオロポリマーフィルムの少なくとも１つの層と、
前記フルオロポリマーフィルムの少なくとも１つの表面に塗布されたアミン官能性ポリマーの少なくとも１つのプライマー層と、
酸改質ポリオレフィンを含有する少なくとも１つの熱可塑性接着剤層
とを備え、
前記接着剤層が、前記フルオロポリマーフィルムのプライマー処理された表面に接着されることを特徴とするフィルム構造体。
【請求項２】  積層フィルム構造体であって、
フルオロポリマーフィルムの少なくとも１つの層と、
前記フルオロポリマーフィルムの少なくとも１つの表面に塗布されたアミン官能性ポリマーの少なくとも１つのプライマー層と、
酸改質ポリオレフィンを含有する少なくとも１つの熱可塑性接着剤層であって、該接着剤層が、前記フルオロポリマーフィルムのプライマー処理された表面に接着される熱可塑性接着剤層と、
前記熱可塑性接着剤層に接着される熱可塑性基材
とを備えることを特徴とする積層フィルム構造体。
【請求項３】  積層フィルム構造体を作製する方法であって、
フルオロポリマーフィルム上にアミン官能性ポリマーを付着させてプライマー処理されたフルオロポリマーフィルムを形成する工程と、
熱可塑性接着剤の層を成形し、かつ該熱可塑性接着剤の層を、前記プライマー処理されたフルオロポリマーフィルムの前記アミン官能性アクリルポリマーに接着させる工程であって、前記熱可塑性接着剤が酸改質ポリオレフィンである工程と、
熱可塑性基材を成形し、該熱可塑性基材に前記熱可塑性接着剤の層を接着させる工程
とを有することを特徴とする方法。
【手続補正２】
【補正対象書類名】明細書
【補正対象項目名】００５６
【補正方法】変更
【補正の内容】
【００５６】
上に記述された発明は、自動車、レクリエーション乗り物、スポーツクラフト、工業および農業機器の表面材、ならびに選択された部品のための乾式ペイントとして特に有用である。発明は、熱成形製品である場合に、部品の製造に特によく適合されている。しかし、本発明の主題物質は多くの他の用途を有する。いくつかのこのような用途には、航空機の装飾用積層品、らくがき（graffiti）に耐える室内または屋外建築用パネル材およびフレキシブルファブリック、および風化または耐薬品性が重要である数多くの熱可塑性および熱硬化性表面材および部品向けの耐紫外線保護被覆材が含まれる。発明は、水環境への定常的な曝露が行われる水上用の海の乗り物、水上スキーなどにとりわけ有用性を有する。
以下に、本発明の好ましい態様を示す。
［１］  フィルム構造体であって、
フルオロポリマーフィルムの少なくとも１つの層と、
前記フルオロポリマーフィルムの少なくとも１つの表面に塗布されたアミン官能性ポリマーの少なくとも１つのプライマー層と、
酸改質ポリオレフィンを含有する少なくとも１つの熱可塑性接着剤層
とを備え、
前記接着剤層が、前記フルオロポリマーフィルムのプライマー処理された表面に接着されることを特徴とするフィルム構造体。
［２］  前記酸改質ポリオレフィンが、（１）エチレンと、少なくとも１つの、不飽和カルボン酸または該不飽和カルボン酸の誘導体の第１のコモノマーとのコポリマー、（２）少なくとも１つの不飽和カルボン酸または前記酸の誘導体でグラフトされたオレフィンポリマー、および（３）前記コポリマーと、前記グラフトされたオレフィンポリマーとのブレンドからなる群から選択されることを特徴とする［１］に記載のフィルム構造体。
［３］  前記コポリマーが、α，β−エチレン性不飽和カルボン酸のアルキルエステル、カルボン酸のビニルエステル、および一酸化炭素からなる群から選択される少なくとも１つの第２のコモノマーをさらに含むことを特徴とする［２］に記載のフィルム構造体。
［４］  前記酸改質ポリオレフィンを含有する熱可塑性接着剤層が、改質されないポリオレフィンをさらに含むことを特徴とする［１］に記載のフィルム構造体。
［５］  前記フルオロポリマーフィルムが、ポリフッ化ビニルであることを特徴とする［１］に記載のフィルム構造体。
［６］  前記酸改質ポリオレフィンが、無水マレイン酸でグラフトされたエチレン／酢酸ビニルコポリマーである、グラフトされたオレフィンポリマーをさらに含むことを特徴とする［２］に記載のフィルム構造体。
［７］  前記酸改質ポリオレフィンが、無水マレイン酸でグラフトされた線状低密度ポリエチレンである、グラフトされたオレフィンポリマーをさらに含むことを特徴とする［２］に記載のフィルム構造体。
［８］  前記プライマー層が、アミン官能性アクリルコポリマーを含むことを特徴とする［１］に記載のフィルム構造体。
［９］  前記プライマー層が、第一級アミン官能性アクリルコポリマーを含むことを特徴とする［８］に記載のフィルム構造体。
［１０］  積層フィルム構造体であって、
フルオロポリマーフィルムの少なくとも１つの層と、
前記フルオロポリマーフィルムの少なくとも１つの表面に塗布されたアミン官能性ポリマーの少なくとも１つのプライマー層と、
酸改質ポリオレフィンを含有する少なくとも１つの熱可塑性接着剤層であって、該接着剤層が、前記フルオロポリマーフィルムのプライマー処理された表面に接着される熱可塑性接着剤層と、
前記熱可塑性接着剤層に接着される熱可塑性基材
とを備えることを特徴とする積層フィルム構造体。
［１１］  前記熱可塑性基材が、ポリオレフィン、ポリエステル、およびポリアミドからなる群から選択されることを特徴とする［１０］に記載の積層フィルム構造体。
［１２］  前記フルオロポリマーフィルムが、ポリフッ化ビニルであることを特徴とする［１０］に記載の積層フィルム構造体。
［１３］  前記酸改質ポリオレフィンの熱可塑性接着剤層が、グラフトされたオレフィンポリマーを含むことを特徴とする［１０］に記載の積層フィルム構造体。
［１４］  前記グラフトされたオレフィンポリマーが、無水マレイン酸でグラフトされたエチレン／酢酸ビニルコポリマーを含むことを特徴とする［１３］に記載の積層フィルム構造体。
［１５］  前記グラフトされたオレフィンポリマーが、無水マレイン酸でグラフトされた線状低密度ポリエチレンを含むことを特徴とする［１３］に記載の積層フィルム構造体。
［１６］  前記プライマー層が、第一級アミン官能性アクリルポリマーを含むことを特徴とする［１０］に記載の積層フィルム構造体。
［１７］  前記フルオロポリマーフィルムのプライマー処理された表面上に、前記熱可塑性接着剤層および前記熱可塑性基材を同時押出しすることにより成形されることを特徴とする［１０］に記載の積層フィルム構造体。
［１８］  ［１０］に記載の積層品フィルム構造体から成形されることを特徴とする熱成形された製品。
［１９］  積層フィルム構造体を作製する方法であって、
フルオロポリマーフィルム上にアミン官能性ポリマーを付着させてプライマー処理されたフルオロポリマーフィルムを形成する工程と、
熱可塑性接着剤の層を成形し、かつ該熱可塑性接着剤の層を、前記プライマー処理されたフルオロポリマーフィルムの前記アミン官能性アクリルポリマーに接着させる工程であって、前記熱可塑性接着剤が酸改質ポリオレフィンである工程と、
熱可塑性基材を成形し、該熱可塑性基材に前記熱可塑性接着剤の層を接着させる工程
とを有することを特徴とする方法。
［２０］  酸改質ポリオレフィンが、（１）エチレンと、少なくとも１つの、不飽和カルボン酸または該不飽和カルボン酸の誘導体の第１のコモノマーとのコポリマー、（２）少なくとも１つの不飽和カルボン酸または該不飽和カルボン酸の誘導体でグラフトされたオレフィンポリマー、および（３）前記コポリマーと、前記グラフトされたオレフィンポリマーとのブレンドからなる群から選択されることを特徴とする［１９］に記載の積層フィルム構造体の作製方法。
［２１］  前記熱可塑性接着剤の層が、前記プライマー処理されたフルオロポリマーフィルム上への押出しにより成形され、かつ前記アミン官能性ポリマーに接着されることを特徴とする［１９］に記載の方法。
［２２］  前記熱可塑性基材が、前記プライマー処理されたフルオロポリマーフィルム上の前記熱可塑性接着剤の層上への押出しにより成形され、かつ前記熱可塑性接着剤の層に接着されることを特徴とする［１９］に記載の方法。
［２３］  前記熱可塑性接着剤の層および熱可塑性基材が、前記プライマー処理されたフルオロポリマーフィルム上への同時押出しにより成形され、かつ接着されることを特徴とする［１９］に記載の方法。
［２４］  前記熱可塑性基材が、ポリオレフィン、ポリエステル、およびポリアミドからなる群から選択されることを特徴とする［１９］に記載の方法。
［２５］  前記プライマー層が、アミン官能性アクリルコポリマーを含むことを特徴とする［１９］に記載の方法。